(57)【要約】【課題】フロントキャビネットと表示される画面との統一感が無かった。【解決手段】各フロントキャビネット９０の内面のプラグ立設領域９３に、フロントキャビネット９０の種類（色）毎に独自の配置にてプラグ９５を立設させ、モニタ５０の縁部５２に、プラグ立設領域９３の各プラグ立設位置９４ａ〜９４ｋに対応するプラグ受入口８１ａ〜８１ｋを備えたプラグ受入部８０を形成し、マイクロコンピュータ６０は、各プラグ受入口８１ａ〜８１ｋへのプラグ９５の挿入の有無を検知してＴＶ１００に装着されているフロントキャビネット９０のプラグ９５の配置を認識し、記憶媒体７０に予め保存されたフロントキャビネット９０の各色に対応したデザインのメニュー画面にかかる各画像データのうち当該配置に対応した画像データに基づく表示をモニタ５０において行う。【選択図】図８
2008299264.tif 000002
【特許請求の範囲】
【請求項１】
モニタの外周を囲うキャビネットを着せ替え可能な画像表示装置において、
装着されたキャビネットを識別する識別手段と、
上記キャビネットの識別の結果に応じて、上記モニタに表示する所定の画像を変更する画像変更手段とを備えることを特徴とする画像表示装置。
【請求項２】
上記識別手段は、キャビネットの内面においてキャビネットの種類毎に異なる配置で設けられたプラグを検知してプラグの配置を認識することによりキャビネットを識別することを特徴とする請求項１に記載の画像表示装置。
【請求項３】
上記識別手段は、キャビネットの内面と相対する上記モニタの所定位置において複数形成された上記プラグを受け入れ可能な各プラグ受入口のうち、いずれのプラグ受入口に対してプラグが挿入されたかを検知することによってプラグの配置を認識することを特徴とする請求項２に記載の画像表示装置。
【請求項４】
上記画像変更手段は、キャビネットの種類毎に予め用意された異なるデザインの各メニュー画面を表す各画像データを所定の記憶媒体に有するとともに、各画像データのうち上記識別されたキャビネットに対応する画像データに基づいて、上記モニタにメニュー画面を表示することを特徴とする請求項１〜請求項３に記載の画像表示装置。
【請求項５】
モニタとしての液晶パネルの表示面を外部に露見させつつ液晶パネルの周囲を囲うキャビネットのうち、フロントキャビネットを着せ替え可能な液晶テレビジョンにおいて、
上記フロントキャビネットは、液晶パネルに装着したときに液晶パネル外面の縁部と相対する内面の所定領域に、当該フロントキャビネットの色に応じた独自の配置で立設するプラグを有し、
上記液晶パネルは、プラグを受け入れ可能なプラグ受入口を互いに間隔を空けて複数形成したプラグ受入部を、上記所定領域と相対する縁部上に形成し、
かつ、着せ替えの対象となる各フロントキャビネットの色毎に予め用意された異なるデザインの各メニュー画面を表す各画像データを保存した記憶媒体と、
上記複数のプラグ受入口のうちいずれのプラグ受入口に対してプラグが挿入されたかを検知するとともに、当該検知したプラグの配置に応じて上記記憶媒体から一つのメニュー画面に対応する画像データを読み出し、当該読み出した画像データに基づいて液晶パネルにメニュー画面を表示させるマイクロコンピュータとを備えることを特徴とする液晶テレビジョン。
【発明の詳細な説明】
【技術分野】
【０００１】
本発明は、画像表示装置および液晶テレビジョンに関する。
【背景技術】
【０００２】
従来から、フロントキャビネットを着せ替え可能なテレビジョンが存在する。かかる製品を購入するユーザは、フロントキャビネットを色が異なる複数のフロントキャビネットの中から選択してテレビジョンのモニタの周囲に装着することにより、テレビジョンの外観を自身の好みや、テレビジョンを設置する室内の雰囲気に合ったものにすることができる。
【０００３】
また、縦置き支持台用の取付部および横置き支持台用の取付部に、支持台の装着を検出する検出手段を設けることによって、プラズマディスプレイの設置姿勢（縦置き又は横置き）を検出し、当該検出知結果に基づいて、入力映像を縦設置用映像又は横設置用映像に変換するフラットディスプレイが知られている（特許文献１参照。）。
【特許文献１】特開２００４‐１９１７１３号公報
【発明の開示】
【発明が解決しようとする課題】
【０００４】
従来においては、テレビジョンに装着するフロントキャビネットをユーザが任意に選択できたとしても、モニタに表示される画像のデザインは変わらないままであった。そのため、フロントキャビネットのデザイン（色など）と、モニタに表示される画像との統一感が無いままであり、ユーザの嗜好性を満足させることができなかった。
また上記文献１においては、パネルが縦置きか横置きかによって映像の向きが変わるだけであり、キャビネットの種類と映像とは無関係であった。
【０００５】
本発明は上記課題に鑑みてなされたもので、装着されたキャビネットの外観とモニタに表示する所定の画像との調和を自動的に実現することの可能な画像表示装置および液晶テレビジョンを提供することを目的とする。
【課題を解決するための手段】
【０００６】
上記目的を達成するために、本発明の画像表示装置は、モニタの外周を囲うキャビネットを着せ替え可能な画像表示装置としている。識別手段は、装着されたキャビネットを識別し、画像変更手段は、上記キャビネットの識別の結果に応じて、上記モニタに表示する所定の画像を変更する。
つまり本発明によれば、モニタに装着されたキャビネットの識別結果に応じて、モニタに表示する所定の画像が変更されるため、キャビネットと画像との調和が自動的に実現される。
【０００７】
上記識別手段は、キャビネットの内面においてキャビネットの種類毎に異なる配置で設けられたプラグを検知してプラグの配置を認識することにより、キャビネットを識別するとしてもよい。かかる構成によれば、識別手段はプラグの配置に応じてキャビネットを容易かつ確実に識別することができる。
より具体的には、識別手段は、キャビネットの内面と相対する上記モニタの所定位置において複数形成された上記プラグを受け入れ可能な各プラグ受入口のうち、いずれのプラグ受入口に対してプラグが挿入されたかを検知することによって、プラグの配置を認識する。かかる構成によれば、識別手段は、各プラグ受入口についてプラグ挿入の有無を判別すれば、そのときモニタに装着されているキャビネットを確実に識別できる。
【０００８】
上記画像変更手段は、キャビネットの種類毎に予め用意された異なるデザインの各メニュー画面を表す各画像データを所定の記憶媒体に有するとともに、各画像データのうち上記識別されたキャビネットに対応する画像データに基づいて、上記モニタにメニュー画面を表示するとしてもよい。かかる構成によれば、キャビネットの識別結果に対応する画像データを記憶媒体から読み出すことにより、そのときモニタに装着されているキャビネットのデザインと調和のとれたデザインのメニュー画面をモニタに表示できる。
【０００９】
上述した画像表示装置の構成の全てを含みつつ、さらに具体化した構成の一つとして、モニタとしての液晶パネルの表示面を外部に露見させつつ液晶パネルの周囲を囲うキャビネットのうち、フロントキャビネットを着せ替え可能な液晶テレビジョンにおいて、
上記フロントキャビネットは、液晶パネルに装着したときに液晶パネル外面の縁部と相対する内面の所定領域に、当該フロントキャビネットの色に応じた独自の配置で立設するプラグを有し、上記液晶パネルは、プラグを受け入れ可能なプラグ受入口を互いに間隔を空けて複数形成したプラグ受入部を、上記所定領域と相対する縁部上に形成し、
かつ、着せ替えの対象となる各フロントキャビネットの色毎に予め用意された異なるデザインの各メニュー画面を表す各画像データを保存した記憶媒体と、上記複数のプラグ受入口のうちいずれのプラグ受入口に対してプラグが挿入されたかを検知するとともに、当該検知したプラグの配置に応じて上記記憶媒体から一つのメニュー画面に対応する画像データを読み出し、当該読み出した画像データに基づいて液晶パネルにメニュー画面を表示させるマイクロコンピュータとを備える構成としてもよい。
【００１０】
かかるより具体的な構成によっても、上記画像表示装置と同様の作用・効果を発揮する。また上記では、画像表示装置やテレビジョンという物のカテゴリーによって本発明の技術的思想を説明した。これに加え、上記画像表示装置やテレビジョンが備える各手段や構成に対応した処理工程からなる画像表示方法の発明や、上記画像表示装置やテレビジョンが備える各手段や構成に対応した処理機能をコンピュータに実行させるプログラムの発明も把握可能であることは言うまでも無い。
【発明を実施するための最良の形態】
【００１１】
以下では図面を参照しながら、本発明の一実施形態を説明する。
図１は、本実施形態にかかるテレビジョン（以下、ＴＶと略す。）１００の内部の概略構成をブロック図により示している。ＴＶ１００は、画像表示装置の一種である。
ＴＶ１００においては、チューナ部２０がマイクロコンピュータ６０の指示に従って、アンテナ１０を介してテレビジョン放送信号を受信する。またチューナ部２０は、放送信号を中間周波信号に周波数変換するとともに、中間周波信号をデコード部３０に出力する。デコード部３０は、チューナ部２０から受け取った信号から映像信号を復号（デコード）し、復号した映像信号を映像信号処理部４０に出力する。
【００１２】
映像信号処理部４０は、入力された映像信号に対して、モニタ５０の画素数に応じたスケーリング処理（解像度変換処理）や、色補正処理、エッジ強調処理などの各種画像処理を必要に応じて実行可能であり、１画面分の映像を表したフレームデータを生成し、モニタ５０に出力する。モニタ５０は、映像信号処理部４０から順次入力するデータに基づいて映像表示を実行する。本実施形態では、ＴＶ１００は、モニタ５０として液晶パネルを採用している。従って、ＴＶ１００は液晶テレビジョンであると言える。ただし、モニタとしては液晶パネル以外にも、ＰＤＰ（プラズマディスプレイパネル）やＣＲＴなど、各種のディスプレイを採用可能である。
【００１３】
マイクロコンピュータ６０は、ＣＰＵ、ＲＯＭ、ＲＡＭ等からなり、ＴＶ１００を構成する各部と通信可能に接続してＴＶ１００全体の制御を統括する。
マイクロコンピュータ６０には、記憶媒体７０が接続されている。記憶媒体７０には、ＴＶ１００に対して着せ替え可能なフロントキャビネットの種類（色）毎に用意された異なるデザインの各メニュー画面を表す、各画像データが予め保存されている。ここで言う異なるデザインの各メニュー画面とは、例えば、ＴＶの操作のためのメニュー表示上の配色や、使用する文字のフォントや、各文字や図形のレイアウト等を、フロントキャビネットの色毎に特化させた各メニュー画面を言う。本実施形態では、フロントキャビネットの色毎に用意された各メニュー画面は、少なくとも対応するフロントキャビネットの色と同系色の色を主に配したものとする。
【００１４】
マイクロコンピュータ６０にはプラグ受入部８０が接続されている。プラグ受入部８０は、複数のプラグ受入口（ジャックとも言う。）を互いに間隔を空けて形成した部材である。マイクロコンピュータ６０は、各プラグ受入口と電気的に接続しており、プラグ受入口のそれぞれに対するプラグの挿入の有無を検知することができる。
図示は省略しているが、ＴＶ１００は上述した構成以外にも、音声信号に基づく音声出力を行うための音声信号処理回路やスピーカ、ＴＶ１００の各部に駆動用電源を供給するための電源回路や、外部のリモートコントロール装置から送信される指示信号（赤外線信号）を受光する受光部など、ＴＶとしての一般的な各構成を備えることは言うまでも無い。
【００１５】
図２は、ＴＶ１００の外観の前面側を示している。ＴＶ１００の外観は、本体１１０と、本体１１０を支持するスタンド部１２０とからなる。本体１１０は、筺体としてのキャビネットと、キャビネット内に収容されたモニタ５０等からなる。図示はしていないが、キャビネット内であってモニタ５０の背面側には、上記チューナ部２０や、デコード部３０や、映像信号処理部４０や、マイクロコンピュータ６０や、記憶媒体７０等を搭載した基板が実装されていることは言うまでもない。キャビネットは、背面側のキャビネット（リアキャビネット）と、前面側のキャビネット（フロントキャビネット９０）とによって構成されるが、同図ではキャビネットのうちフロントキャビネット９０のみ示している。
【００１６】
フロントキャビネット９０は、ＴＶ１００から取り外し可能な部材である。例えば、スタンド部１２０が、モニタ５０と、モニタ５０の上下左右を囲う金属の骨格部材（不図示）とを支持している場合、フロントキャビネット９０は当該骨格部材に対して着脱される。この意味で、ＴＶ１００はキャビネット（フロントキャビネット９０）を着せ替え可能なテレビジョンであると言える。
【００１７】
図３は、キャビネット内部に収容されるモニタ５０を前面側から示している。同図に示すように、モニタ５０の外面のうち、画面５１の周囲を縁取る縁部５２の所定位置には、上記プラグ受入部８０が取り付けられている。
【００１８】
図４は、プラグ受入部８０を示している。上述したようにプラグ受入部８０は、互いに間隔を空けて形成されたプラグ受入口を複数有している。同図では、プラグ受入部８０に、計１１個のプラグ受入口８１ａ〜８１ｋを形成した例を示している。各プラグ受入口８１ａ〜８１ｋは金属性のジャックであり、その開口をＴＶ１００の前面側に向けている。
【００１９】
図５は、フロントキャビネット９０を背面側から示している。フロントキャビネット９０は、前面９１の略中央にモニタ５０の画面５１を外部に露見させるための開口９２を形成している。またフロントキャビネット９０は、モニタ５０の周囲に装着したときにモニタ５０の縁部５２と相対する前面９１の内側（内面）の所定位置に、プラグ立設領域９３を設けている。プラグ立設領域９３は、フロントキャビネット９０がモニタ５０の周囲に装着されたときにプラグ受入部８０と対面する位置に設けられている。
【００２０】
図６および図７は、プラグ立設領域９３の例を示している。
図６，７の何れにおいてもプラグ立設領域９３には、プラグ受入部８０のプラグ受入口８１ａ〜８１ｋとそれぞれ一対一で対応する各位置（プラグ立設位置９４ａ〜９４ｋ）のうち、一部の位置に金属製のプラグ９５が立設している。なお図６，７においては理解を容易にするためにプラグ９５を傾いた状態で例示しているが、実際には各プラグ９５は、ＴＶ１００の背面側に向かって立設している（内面に対して垂直に立設している）。
プラグ立設位置９４ａ〜９４ｋのうちいずれの位置にプラグ９５が立設しているかは、フロントキャビネット９０の種類によって異なる。例えば図６は、ＴＶ１００に対して着せ替え可能な型の各種フロントキャビネット９０のうち、表面が白色に着色されたフロントキャビネット９０についてのプラグ立設領域９３を示している。
【００２１】
白色のフロントキャビネット９０の場合、プラグ立設位置９４ａ〜９４ｋのうち９４ｂ，９４ｅ，９４ｈ，９４ｋにおいてプラグ９５が立設している。
一方、図７は、ＴＶ１００に対して着せ替え可能な型の各種フロントキャビネット９０のうち、ピンク色に着色されたフロントキャビネット９０についてのプラグ立設領域９３を示している。ピンク色のフロントキャビネット９０の場合、プラグ立設位置９４ａ〜９４ｋのうち９４ａ，９４ｆ，９４ｋにおいてプラグ９５が立設している。
つまり本実施形態では、ＴＶ１００に対して着せ替え可能な各フロントキャビネット９０は、内面のプラグ立設領域９３において、それぞれの色毎に独自の配置で立設するプラグ９５を有している。
【００２２】
図８は、マイクロコンピュータ６０が実行する、メニュー画面の設定変更処理の内容をフローチャートにより示している。この設定変更処理は、例えば、ＴＶ１００の主電源が投入される度に実行する。
ステップＳ（以下、ステップの表記を省略。）２００では、コンピュータ６０は、各プラグ受入口８１ａ〜８１ｋについてプラグ９５の挿入の有無を検知する。各プラグ受入口８１ａ〜８１ｋにプラグ９５が挿入しているか否かの検知手法は特に限られない。例えば、各プラグ受入口８１ａ〜８１ｋからはプラグ９５とショートしたときに所定の電流が流れるようにしておき、マイクロコンピュータ６０は、かかる電流を検知することにより、各プラグ受入口８１ａ〜８１ｋにプラグ９５が挿入しているか否かを判断する。あるいは、マイクロコンピュータ６０は、プラグ受入口にプラグ９５が挿入されているときの圧力に応じた電気信号を検知することにより、各プラグ受入口８１ａ〜８１ｋ毎にプラグ９５と接触しているか否かを判断するとしてもよい。
【００２３】
Ｓ２１０では、マイクロコンピュータ６０は、上記Ｓ２００の検知結果に基づいて、そのとき装着されているフロントキャビネット９０の持つプラグ９５の配置を認識する。例えば、上記白色のフロントキャビネット９０が装着されている状況においては、プラグ立設位置９４ｂ，９４ｅ，９４ｈ，９４ｋに対応するプラグ受入口８１ｂ，８１ｅ，８１ｈ，９４ｋにおいてプラグ９５の接触が検知されるため、プラグ９５の配置がプラグ立設位置９４ｂ，９４ｅ，９４ｈ，９４ｋであると認識する。
つまりマイクロコンピュータ６０は、Ｓ２００およびＳ２１０の処理によって、フロントキャビネット９０の識別（フロントキャビネット９０の色の識別）を行っている。この意味で、マイクロコンピュータ６０あるいはＴＶ１００は、その機能の一部として識別手段を実現していると言える。
【００２４】
Ｓ２２０ではマイクロコンピュータ６０は、記憶媒体７０に保存されたフロントキャビネット９０の色毎のメニュー画面を表す各画像データのうち、上記認識したプラグ９５の配置に対応する画像データを選択し、当該選択した画像データをメニュー画面の表示のために使用する画像データとして設定する。例えばマイクロコンピュータ６０は、ＴＶ１００に対して着せ替え可能なフロントキャビネット９０の色毎に異なるプラグ９５の各配置と、各配置に対応する画像データとの対応関係を一義的に規定したテーブルを予め所定の記憶領域に保持しておき、上記Ｓ２１０で認識したプラグ９５の配置と、当該テーブルに規定された情報とを参照することにより、画像データの選択を行う。
【００２５】
上記の例で言えば、当該テーブルは、プラグ立設位置９４ｂ，９４ｅ，９４ｈ，９４ｋからなるプラグ配置に対しては、白色のフロントキャビネット９０に特化したデザインのメニュー画面を表した画像データを対応付け、プラグ立設位置９４ａ，９４ｆ，９４ｋからなるプラグ配置に対しては、ピンク色のフロントキャビネット９０に特化したデザインのメニュー画面を表した画像データを対応付けたものであるとする。
【００２６】
上記の設定変更処理の後においては、マイクロコンピュータ６０は、上記設定した画像データによるメニュー画面を必要に応じてモニタ５０に表示させることが可能となる。
具体的には、マイクロコンピュータ６０は、ユーザがリモートコントロール装置の「メニュー」ボタンを操作することにより送信されたメニュー画面を表示することを指示する指示信号を、上記受光部を介して受信した場合などに、上記設定にかかる画像データを記憶媒体７０から読み出す。そして、読み出した画像データを、デコード部３０が復号した映像信号に対して重畳した上で映像信号処理部４０に出力する。その結果、モニタ５０上に記憶媒体７０から読み出した画像データに基づく表示、すなわちメニュー画面の表示を行うことができる。つまりマイクロコンピュータ６０は、いわゆるＯＳＤ（On Screen Display）機能を用いてメニュー画面をモニタ５０に表示する。
上記Ｓ２２０の処理および上記メニュー画面の表示処理を実行可能な点で、マイクロコンピュータ６０あるいはＴＶ１００は、その機能の一部として画像変更手段を実現していると言える。
【００２７】
図９，１０は、モニタ５０にメニュー画面をそれぞれ表示したＴＶ１００を示している。図９は、フロントキャビネット９０がある色（例えば白色）の場合を示しており、フロントキャビネット９０の色に合わせた色（白色）を主に配色したデザインのメニュー画面Ｍ１がモニタ５０に表示されている。また、図１０は、フロントキャビネット９０が他の色（例えばピンク色）の場合を示しており、フロントキャビネット９０の色に合わせた色（ピンク色）を主に配色したデザインのメニュー画面Ｍ２がモニタ５０に表示されている。
【００２８】
このように本発明によれば、ＴＶ１００に対して着せ替え可能な各フロントキャビネット９０の内面のプラグ立設領域９３に、フロントキャビネット９０の種類（色）毎に独自の配置にてプラグ９５を立設させ、モニタ５０の縁部５２の上記プラグ立設領域９３に対応する位置には、プラグ立設領域９３の各プラグ立設位置９４ａ〜９４ｋに対応するプラグ受入口８１ａ〜８１ｋを備えたプラグ受入部８０を形成し、マイクロコンピュータ６０は、各プラグ受入口８１ａ〜８１ｋにおけるプラグ９５の挿入の有無を検知することにより、そのときＴＶ１００に装着されているフロントキャビネット９０のプラグ９５の配置（つまり、フロントキャビネット９０の色）を認識し、記憶媒体７０に予め保存されたフロントキャビネット９０が採用しうる各色に対応したデザインの所定の画像（メニュー画面）にかかる各画像データのうち、当該配置に対応した画像データを、メニュー画面表示のための画像データとして設定し、当該設定した画像データに基づく表示をモニタ５０において行う。
【００２９】
つまり、ユーザが自己の好みに応じてフロントキャビネット９０を選択してＴＶ１００に取り付けるだけで、メニュー画面の設定が、当該取り付けたフロントキャビネット９０と調和したデザイン（配色や、フォントや、レイアウト等）に自動的に変更される。従って、ＴＶ１００にメニュー画面を表示させたときは、常にフロントキャビネット９０の色等とメニュー画面のデザインとが統一感のあるものとなり、ユーザを満足させることができる。なお、フロントキャビネット９０の種類に合わせてその表示デザインを変更する対象は、上記メニュー画面に限られず、例えば、番組表示中に画面の所定位置に表示されるチャンネル番号や、ボリューム表示など、マイクロコンピュータ６０がＯＳＤ機能を用いて表示する内容であれば、あらゆる表示が対象となる。
【図面の簡単な説明】
【００３０】
【図１】テレビジョンの概略構成の一例を示したブロック図。
【図２】テレビジョンの正面図。
【図３】モニタの正面図。
【図４】プラグ受入部を示した図。
【図５】フロントキャビネットの背面図。
【図６】プラグ立設領域の一例を示した図。
【図７】プラグ立設領域の他の例を示した図。
【図８】メニュー画面の設定変更処理の一例を示したフローチャート。
【図９】フロントキャビネットと画面表示が調和したテレビジョンの一例を示した図。
【図１０】フロントキャビネットと画面表示が調和したテレビジョンの他の例を示した図。
【符号の説明】
【００３１】
２０…チューナ部
３０…デコード部
４０…映像信号処理部
５０…モニタ
５１…画面
５２…縁部
６０…マイクロコンピュータ
７０…記憶媒体
８０…プラグ受入部
８１ａ，８１ｂ，８１ｃ，８１ｄ，８１ｅ，８１ｆ，８１ｇ，８１ｈ、８１ｉ，８１ｊ，８１ｋ…プラグ受入口
９０…フロントキャビネット
９１…前面
９２…開口
９３…プラグ立設領域
９４ａ，９４ｂ，９４ｃ，９４ｄ，９４ｅ，９４ｆ，９４ｇ，９４ｈ，９４ｉ，９４ｊ，９４ｋ…プラグ立設位置
９５…プラグ
１００…テレビジョン
１１０…本体
１２０…スタンド部
【図１】
2008299264.tif 000003
【図２】
2008299264.tif 000004
【図３】
2008299264.tif 000005
【図４】
2008299264.tif 000006
【図５】
2008299264.tif 000007
【図６】
2008299264.tif 000008
【図７】
2008299264.tif 000009
【図８】
2008299264.tif 000010
【図９】
2008299264.tif 000011
【図１０】
2008299264.tif 000012